(57)【要約】【課題】視聴停止命令を検出してから段階的に電源供給または制御を停止させることにより、ユーザによる停止要求から短時間で視聴開始を要求された場合には、短時間で視聴を再開することが可能になるものである。【解決手段】ユーザによる音声出力および映像出力の中断命令を検出する視聴中断検出部１１１と、視聴中断検出部１１１で中断命令を検出した場合、信号受信部１００、デマルチプレクサ１０１、音声復号部１０８、音声出力部１０９、映像復号部１０５および映像出力部１０６のそれぞれに対する電源供給または制御を、少なくとも時間的に２段階に分けて停止させるよう制御する制御部１１０とを備える。【選択図】図１
2007006457.tif 000002
【特許請求の範囲】
【請求項１】
データ信号を取得するデータ取得部と、
前記データ取得部で取得されたデータ信号から音声データと映像データとを分離して、音声ストリームおよび映像ストリームを生成するデマルチプレクサと、
前記デマルチプレクサで生成された音声ストリームを復号する音声復号部と、
前記音声復号部で復号された音声を出力する音声出力部と、
前記デマルチプレクサで生成された映像ストリームを復号する映像復号部と、
前記映像復号部で復号された映像を出力する映像出力部と、
ユーザによる音声出力および映像出力の中断命令を検出する視聴中断検出部と、
前記視聴中断検出部で中断命令を検出した場合、前記データ取得部、前記デマルチプレクサ、前記音声復号部、前記音声出力部、前記映像復号部および前記映像出力部のそれぞれに対する電源供給または動作を、少なくとも時間的に２段階に分けて停止させるよう制御する制御部と、
を備えるデジタルデータ受信装置。
【請求項２】
前記制御部は、
前記視聴中断検出部が中断命令を検出すると、前記音声出力部および前記映像出力部への電源供給または制御を停止させ、
前記視聴中断検出部が中断命令を検出してからｎ１秒後に、前記音声復号部および前記映像復号部への電源供給または制御を停止させ、
前記視聴中断検出部が中断命令を検出してからｎ２秒後に、前記デマルチプレクサへの電源供給または制御を停止させ、
前記視聴中断検出部が中断命令を検出してからｎ３秒後に、前記データ取得部への電源供給または制御を停止させる、
請求項１に記載のデジタルデータ受信装置。
【請求項３】
ｎ１、ｎ２、ｎ３は、ｎ１＜ｎ２＜ｎ３の関係である請求項２記載のデジタルデータ受信装置。
【請求項４】
ユーザによる音声出力および映像出力を継続する旨の命令を検出する視聴保留検出部をさらに備え、
前記視聴中断検出部で中断命令を検出してからｎ秒後までの間に、前記視聴保留検出部が継続命令を検出した場合、前記データ取得部、前記デマルチプレクサ、前記音声復号部、前記音声出力部、前記映像復号部および前記映像出力部のうちの一部への電源供給または制御を停止する、
請求項１に記載のデジタルデータ受信装置。
【請求項５】
前記映像復号部への電源供給または制御を停止中に、前記デマルチプレクサで生成された前記映像ストリームを一時的に記憶させるストリーム記憶部を備える、
請求項１に記載のデジタルデータ受信装置。
【請求項６】
前記映像復号部への電源供給または制御を停止中に、前記デマルチプレクサで生成された前記映像ストリームを一時的に記憶させるストリーム記憶部を備える、
請求項４に記載のデジタルデータ受信装置。
【請求項７】
前記ストリーム記憶部に記憶される映像ストリームは、先頭ピクチャのみである、
請求項５に記載のデジタルデータ受信装置。
【請求項８】
前記ストリーム記憶部に記憶される映像ストリームは、先頭ピクチャのみである、
請求項６に記載のデジタルデータ受信装置。
【請求項９】
前記制御部は、視聴開始命令が入力されると、
前記データ取得部の動作が停止していれば起動させ、
前記デマルチプレクサの動作が停止していれば起動させ、
前記映像復号部及び前記音声復号部の動作が停止していれば起動させ、
前記映像出力部及び前記音声出力部の動作が停止していれば起動させる、
請求項１記載のデジタルデータ受信装置。
【請求項１０】
付加機能を実行可能な付加機能実行部をさらに備え、
前記制御部は、
受信したデジタルデータを前記映像出力部及び前記音声出力部から出力させている時に、前記付加機能実行部の起動命令が入力された場合、前記映像出力部及び前記音声出力部の動作を停止させて前記付加機能を実行させ、
前記映像出力部及び前記音声出力部の動作を停止させてから所定時間経過するまでの間に、視聴開始命令が入力された場合、前記付加機能実行部を停止させ、前記映像出力部及び前記音声出力部を起動させる、
請求項１記載のデジタルデータ受信装置。
【発明の詳細な説明】
【技術分野】
【０００１】
本発明は、デジタル放送などで配信されているデジタルデータを受信可能なデジタルデータ受信装置に関する。
【背景技術】
【０００２】
映像、音声、テキスト、および管理情報などから構成されるコンテンツを、デジタルストリームとして提供するデジタル放送が順次実用化されている。例えば、ＢＳデジタル放送およびＣＳデジタル放送に加え、地上デジタル放送が開始されている。また、携帯端末で受信するための専用放送として帯域が限定された１セグメント放送も近々開始され、とくに携帯電話との融合が期待されている。これらのデジタル放送は、伝送方式として映像、音声、およびデータ（含むテキスト、管理情報）などのコンテンツを一つのストリームとして多重化して伝送するＭＰＥＧ２−ＴＳ（Transport Stream）方式が採用されている。
【０００３】
また、携帯電話においては、インターネット上で配信されている動画データの再生機能、カメラ機能を用いた動画撮影および動画再生機能、メモリカードに保存された音楽データの再生など、デジタル放送とは異なる方法によって映像と音声を楽しめるようになってきている。
【０００４】
しかし、このような映像と音声データには高度な符号化処理が施されており、再生時の復号化に伴う消費電力が大きいため、携帯端末のようにバッテリー容量が少ない機器の場合には、省電力化が課題となっている。
【０００５】
特許文献１に開示されている折りたたみ式の携帯端末においては、端末を開いた状態で映像や音楽などを視聴している時に端末を閉じた場合、映像や音楽などの再生を停止させるよう制御し、消費電力を低減させている。また、再び端末が開かれたときに、映像や音楽などの再生を開始し、視聴可能な状態に移行することで、利便性を保っている。
【特許文献１】特開２００２−２６１８８８号公報
【発明の開示】
【発明が解決しようとする課題】
【０００６】
しかしながら、デジタル放送を視聴する際には、データ受信処理、デマルチプレクス処理、データ復号処理などの処理を順次実行しなければならない。よって、視聴開始命令を入力してから、映像と音声が出力されるまでに時間がかかる。特許文献１に開示されている方法では、端末が閉じられた時に一旦再生動作を停止させてしまうことで、映像と音声を再度出力するまでに相当の時間が必要となり、使い勝手を低下させていた。
【０００７】
また、端末が開かれるたびに、表示部に映像が表示されない時間が長時間続くことにより、ユーザーにおいて不具合が発生したと誤認してしまう可能性がある。
【０００８】
さらに、デジタル放送の視聴を再開することを望まない場合であっても、端末が開かれるたびに必ず視聴を再開してしまうため、その都度視聴停止操作を行わなければならず、利便性を大きく損なうという問題がある。
【０００９】
本発明は、上記の問題を鑑み、ユーザによる視聴停止要求から短時間で視聴開始を要求された場合には、短時間で視聴を再開できるデジタルデータ受信装置を提供することを目的とする。
【課題を解決するための手段】
【００１０】
上記問題を解決するために本発明のデジタルデータ受信装置は、データ信号を取得するデータ取得部と、前記データ取得部で取得されたデータ信号から音声データと映像データとを分離して、音声ストリームおよび映像ストリームを生成するデマルチプレクサと、前記デマルチプレクサで生成された音声ストリームを復号する音声復号部と、前記音声復号部で復号された音声を出力する音声出力部と、前記デマルチプレクサで生成された映像ストリームを復号する映像復号部と、前記映像復号部で復号された映像を出力する映像出力部と、ユーザによる音声出力および映像出力の中断命令を検出する視聴中断検出部と、前記視聴中断検出部で中断命令を検出した場合、前記データ取得部、前記デマルチプレクサ、前記音声復号部、前記音声出力部、前記映像復号部および前記映像出力部のそれぞれに対する電源供給または制御を、少なくとも時間的に２段階に分けて停止させるよう制御する制御部とを備えるものである。
【発明の効果】
【００１１】
本発明のデジタルデータ受信装置によれば、視聴停止命令を検出してから段階的に電源供給または制御を停止させることにより、ユーザによる停止要求から短時間で視聴開始を要求された場合には、短時間で視聴を再開することが可能になる。
【発明を実施するための最良の形態】
【００１２】
本発明のデジタルデータ受信装置は、前記制御部は、前記視聴中断検出部が中断命令を検出すると、前記音声出力部および前記映像出力部への電源供給または制御を停止させ、前記視聴中断検出部が中断命令を検出してからｎ１秒後に、前記音声復号部および前記映像復号部への電源供給または制御を停止させ、前記視聴中断検出部が中断命令を検出してからｎ２秒後に、前記デマルチプレクサへの電源供給または制御を停止させ、前記視聴中断検出部が中断命令を検出してからｎ３秒後に、前記データ取得部への電源供給または制御を停止させる構成としてもよい。
【００１３】
また、前記制御部において、ｎ１、ｎ２、ｎ３は、ｎ１＜ｎ２＜ｎ３の関係で構成してもよい。
【００１４】
また、ユーザによる音声出力および映像出力を継続する旨の命令を検出する視聴保留検出部をさらに備え、前記視聴中断検出部で中断命令を検出してからｎ秒後までの間に、前記視聴保留検出部が継続命令を検出した場合、前記データ取得部、前記デマルチプレクサ、前記音声復号部、前記音声出力部、前記映像復号部および前記映像出力部のうちの一部への電源供給または制御を停止する構成としてもよい。この構成により、視聴中断要求時に停止する箇所をユーザの視聴状況に応じて簡単に切り替えることが可能になる。
【００１５】
また、前記映像復号部への電源供給または制御を停止中に、前記デマルチプレクサで生成された前記映像ストリームを一時的に記憶させるストリーム記憶部を備える構成としてもよい。
【００１６】
また、前記ストリーム記憶部に記憶される映像ストリームは、先頭ピクチャのみである構成してもよい。
【００１７】
また、前記制御部は、視聴開始命令が入力されると、前記データ取得部の動作が停止していれば起動させ、前記デマルチプレクサの動作が停止していれば起動させ、前記映像復号部及び前記音声復号部の動作が停止していれば起動させ、前記映像出力部及び前記音声出力部の動作が停止していれば起動させる構成としてもよい。この構成により、視聴停止した順番の逆順で起動させるため、既に起動している回路については起動処理が不要となり、速やかに映像音声を出力させることができる。
【００１８】
また、付加機能を実行可能な付加機能実行部をさらに備え、前記制御部は、受信したデジタルデータを前記映像出力部及び前記音声出力部から出力させている時に、前記付加機能実行部の起動命令が入力された場合、前記映像出力部及び前記音声出力部の動作を停止させて前記付加機能を実行させ、前記映像出力部及び前記音声出力部の動作を停止させてから所定時間経過するまでの間に、視聴開始命令が入力された場合、前記付加機能実行部を停止させ、前記映像出力部及び前記音声出力部を起動させる構成としてもよい。この構成により、付加機能実行時にバックグラウンドでデータ受信を実行させている時に、無駄な電力消費を抑えることができる。
【００１９】
（実施の形態１）
〔１．デジタル放送受信装置の構成〕
図１は、実施の形態１におけるデジタル放送受信装置の構成を示すブロック図である。図２及び図３は、デジタル放送受信装置の外観構成を示す斜視図である。
【００２０】
本実施の形態のデジタル放送受信装置は、デジタルデータ受信装置の一例である。デジタルデータ受信装置は、携帯端末で構成されることが好ましく、例えば図２及び図３に示すようにデジタル放送を受信可能な携帯電話機で構成されている。なお、デジタル放送受信装置が搭載される機器は携帯電話機に限らず、ＰＤＡ（Personal Digital Assistance）、ラップトップ型パーソナルコンピューター、車載用ナビゲーションシステムなどが考えられる。また、本装置は、地上デジタル放送を受信可能な受信装置に限らず、ラジオ放送（例えば、地上デジタル音声放送）を受信可能な受信装置や、ネットワークを介して映像音声を受信可能な受信装置であってもよい。
【００２１】
図１に示すように、デジタル放送受信装置は、信号受信部１００、デマルチプレクサ１０１、記憶部１０２、映像部１０４、音声部１０７、制御部１１０、記録部１１９で構成される。上記構成はバスに接続され、互いにデータを転送させることができる。また、映像部１０４にはディスプレイ１１５が接続され、制御部１１０には操作部１１６とヒンジ検出部１１７とが接続され、音声部１０７にはスピーカー１１８が接続されている。
【００２２】
信号受信部１００は、デジタル放送などのデータを受信可能であり、アンテナやチューナなどから構成されている。本実施の形態のように、１セグメント放送を受信する場合は、１セグメント放送用ＯＦＤＭ（Orthogonal Frequency Division Multiplexing）復調器およびチューナなどから構成される。信号受信部１００からは、ＭＰＥＧ２−ＴＳ多重ストリーム（MPEG:Moving Picture Experts Group  TS:Transport Stream）が出力される。なお、本実施の形態では、信号受信部１００は、デジタル放送を受信するための手段であれば構成を問わないため、例えば、動画配信のための無線ＬＡＮ（Local Area Network）やＰＨＳ（Personal Handy-phone System）などのインターネット接続手段であってもよい。また、信号受信部１００で受信可能な放送は、地上デジタルテレビ放送に限らず、ラジオ放送、データ放送であってもよい。
【００２３】
デマルチプレクサ１０１は、信号受信部１００で受信されたＭＰＥＧ２−ＴＳ多重ストリームをデマルチプレックス処理し、映像ストリームと音声ストリームとデータストリームなどを得る。
【００２４】
記憶部１０２は、本装置内の各部においてデータを処理する際に、一時的にストリームや各種データを記憶させておくことができる。また、記憶部１０２には、例えば映像ストリームを一時的に記憶させることができるストリーム一時記憶部１０３が含まれている。記憶部１０２は、例えばＳＤＲＡＭ（Synchronous Dynamic Random Access Memory）で構成されている。
【００２５】
映像部１０４は、映像復号部１０５と映像出力部１０６とで構成されている。映像復号部１０５は、デマルチプレックスされた映像ストリームをデコード処理し、映像データ（例えば、ＭＰＥＧ２ビデオデータやＨ．２６４ビデオデータなど）を得る。本実施の形態では、ＭＰＥＧ２−ＴＳ多重ストリームが受信されるため、ＭＰＥＧ２フォーマットに準拠したデコード処理が行われる。また、映像出力部１０６は、映像復号部１０５において復号された映像データを、ディスプレイ１１５で表示可能な映像信号に変調する。例えば、ディスプレイ１１５が、ＮＴＳＣフォーマットに対応したディスプレイで構成されている場合は、映像出力部１０６はＮＴＳＣエンコーダで構成される。また、映像出力部１０６には、ディスプレイコントローラやＮＴＳＣエンコーダなどのＬＳＩ（Large Scale Integration）を含む。
【００２６】
ディスプレイ１１５は、映像部１０４から出力される映像信号を表示可能である。ディスプレイ１１５は、例えば液晶ディスプレイ、ＥＬ（Electro-Luminescence）ディスプレイ、プラズマディスプレイ、ヘッドマウントディスプレイなどで構成されている。ディスプレイ１１５には、映像信号の他、各種情報を表示させることができる。
【００２７】
音声部１０７は、音声復号部１０８と音声出力部１０９とで構成され、スピーカー１１８が接続されている。音声復号部１０８は、デマルチプレックスされた音声ストリームをデコード処理し、音声データを得る。音声データは、例えばＡＡＣ（Advanced Audio Coding）フォーマットである。また、音声出力部１０９は、復号された音声データを、スピーカー１１８で出力可能な音声信号に変換する。例えば、音声出力部１０９は、デジタル信号をアナログ信号に変換するＤＡ変換器で構成され、デジタル音声データをアナログ音声信号に変換することができる。また、音声出力部１０９には、Ｄ／ＡコンバータやアンプなどのＬＳＩを含む。また、再生デバイスは、例えば、内蔵スピーカ、外部スピーカ、ヘッドフォンが挙げられる。
【００２８】
スピーカー１１８は、音声部１０７から出力される音声信号を音響出力することができる。なお、本実施の形態では、スピーカー１１８で音声を外部へ出力する構成としたが、少なくともユーザーが音声を聴くことができる構成であればよいため、イヤホンを接続可能な端子を含むものとする。
【００２９】
制御部１１０には、視聴中断検出部１１１、視聴開始検出部１１３、タイマー部１１４が含まれている。また、制御部１１０には、操作部１１６およびヒンジ検出部１１７が接続されている。
【００３０】
操作部１１６は、ユーザーによって操作可能な操作ボタンなどで構成され、操作されることで本装置における各種機能を操作することができる。本実施の形態では、少なくとも、デジタル放送の視聴停止命令、視聴開始命令を操作入力することができる。
【００３１】
ヒンジ検出部１１７は、本装置が図２及び図３に示すように折り畳み型の携帯端末で構成されていた場合、そのヒンジ部２００に内蔵される。そして、本装置が図２に示すように開いた状態の時と、図３に示すように閉じた状態の時とで、異なる検出信号を出力する。
【００３２】
視聴中断検出部１１１は、操作部１１６において視聴停止命令が入力（例えば、携帯電話の場合は「切」ボタンの操作）されるか、ヒンジ検出部１１７で本装置が閉じた状態に移行されたことを検出した時に、本装置におけるデジタル放送の受信または映像音声出力を中断するよう制御するものである。なお、視聴中断検出部１１１で検出可能な視聴中断動作は、操作部１１６やヒンジ検出部１１７以外からの情報に基づいて、検出可能な構成としてもよい。例えば、ディスプレイ１１５に表示されるメニュー表示において、視聴中断を命令する構成も考えられる。
【００３３】
視聴開始検出部１１３は、操作部１１６において視聴開始命令が入力（例えば、視聴開始用の専用ボタンの操作）されるか、ヒンジ検出部１１７で本装置が開いた状態に移行されたことを検出した時に、本装置におけるデジタル放送の受信または映像音声出力を開始するよう制御するものである。
【００３４】
タイマー部１１４は、視聴中断処理において、各処理ステップからの経過時間をカウントするものである。詳しい役割については後述する。
【００３５】
記録部１１９は、本装置で受信したデジタル放送の映像音声データを記録させることができる。記録部１１９は、例えばハードディスクドライブや光ディスクやメモリーカードなどで構成される。記録部１１９に記録されるデータは、映像復号部１０５で復号された映像データや、音声復号部１０８で復号された音声データや、デマルチプレクサ１０１から出力される映像音声ストリームや、デマルチプレックス処理される前のストリームなどである。
【００３６】
なお、本実施の形態では、制御部１１０にタイマー部１１４を備えたが、映像部１０４と音声部１０７に、それぞれ専用のタイマー部を備えてもよい。
【００３７】
また、ストリーム一時記憶部１０３に記憶させるＰＥＳ（Packetized Elementary Stream）は、映像ＰＥＳのみでもよい。また、ＰＥＳではなく、先頭ピクチャのみでもよい。
【００３８】
〔２．視聴中断処理の動作〕
次に、制御部１１０による視聴中断手順を説明する。制御部１１０には、ユーザによる視聴を中断するための動作を検出する視聴中断検出部１１１が備わっている。視聴中断検出部１１１が、ディスプレイ部分が折りたたみ式になっている装置が閉じられたことを検出する開閉検出部である場合の例を示す。図２および図３は本実施の形態のデジタル放送受信装置１の外観である。この場合のデジタル放送受信装置１は、ディスプレイ１１５やスピーカー１１８などが配されている第１の筐体２０１と、操作部１１６などが配されている第２の筐体２０２とが、ヒンジ２００によって開閉可能に連結されている。
【００３９】
図２に示すように、本装置が開いた状態では、ディスプレイ１１５は外部から目視可能な状態になっており、スピーカー１１８も外部に露出している。また、操作部１１６は、使用者によって操作可能な状態になっている。この状態で、デジタル放送を受信すると、デジタル放送の映像はディスプレイ１１５に表示され、音声はスピーカー１１８から出力される。視聴者は、映像と音声を視聴しながら、操作部１１６を操作してチャンネル選択や音量調節などを行うことができる。
【００４０】
デジタル放送を視聴中に、視聴を中断あるいは中止する際は、操作部１１６を操作して視聴中断あるいは中止する命令を入力するか、第１の筐体２０１を矢印方向へ回動させて図３に示す状態へ移行させる。図３に示す状態では、ディスプレイ１１５、スピーカー１１８、操作部１１６は外部に露出しておらず、映像及び音声の出力も停止される。
【００４１】
また、本装置には、受信しているデジタル放送の映像音声データを記録部１１９に記録可能な録画機能が備わっている。録画機能は、本装置が開いていても閉じていても実行可能である。録画中に本装置が開いている場合は、ディスプレイ１１５に録画しているコンテンツの映像が表示され、スピーカー１１８からは録画しているコンテンツの音声が出力される。
【００４２】
以下、具体的な視聴中断処理について説明する。なお、以下の説明では、本装置が、図２から図３に示す状態に移行された場合の視聴中断処理について説明する。
【００４３】
図４は、視聴中断処理の基本フローである。図４において、視聴中断検出部１１１は、ヒンジ検出部１１７の状態を監視し、ヒンジ検出部１１７から出力される検出信号に基づいて、本装置の開閉状態を検出している（ステップＳ１）。
【００４４】
視聴中に本装置が閉じられた場合、視聴中断検出部１１１はヒンジ検出部１１７からの検出信号に基づいて装置が閉じられたことを検出する。次に、本装置がコンテンツ録画中が否かを確認する（ステップＳ２）。本装置が録画中の場合は図５のシーケンスへ進み、録画中ではなく視聴のみ行われている場合は図６のシーケンスへ進む。
【００４５】
〔２−１．録画中の視聴停止シーケンス〕
図５は、録画中の視聴停止シーケンスを示すフローチャートである。録画中に視聴停止命令が入力されると、まず、映像出力部１０６の動作を停止させて、ディスプレイ１１５への映像出力を停止させる。また、音声出力部１０９の動作を停止させて、スピーカー１１８への音声出力を停止させる（ステップＳ１１）。
【００４６】
映像音声の出力が停止されるとともに、タイマー部１１４がカウントを開始する（ステップＳ１２）。タイマー部１１４のカウント値がｎ４秒に到達する前に、視聴開始命令が入力されると（ステップＳ１３）、タイマー部１１４の動作を停止させて（ステップＳ１８）、視聴開始シーケンス（図７参照）へ進む。ここで、視聴開始命令は、本装置を図３に示す状態から図２に示す状態へ移行させたり、操作部１１６を操作することで、入力が可能である。
【００４７】
ステップＳ１３において、ｎ４秒以内に視聴開始命令が入力されなかった場合は、映像復号部１０５と音声復号部１０８の動作を停止させる（ステップＳ１４）。
【００４８】
次に、タイマー部１１４のカウント値がｎ５秒に到達する前に視聴開始命令が入力されると（ステップＳ１５）、タイマー部１１４の動作を停止させて（ステップＳ１９）、視聴開始シーケンス（図７参照）へ進む。
【００４９】
ステップＳ１５において、ｎ５秒以内に視聴開始命令が入力されなかった場合は、デマルチプレクサ１０１の動作を停止させる（ステップＳ１６）とともに、タイマー部１１４の動作も停止させる（ステップＳ１７）。よって、ステップＳ１７に到達した時には、映像部１０４、音声部１０７、デマルチプレクサ１０１、ディスプレイ１１５の動作が停止している。
【００５０】
なお、以上のシーケンスの処理中は、録画動作は停止することなく継続されている。また、ステップＳ１７以降も、録画動作は継続される。録画動作を停止させるには、所定の録画停止操作を行うか、タイマー録画を行っている場合は録画終了時刻になれば自動的に録画が終了するよう制御される。
【００５１】
また、ｎ４、ｎ５の値は任意であり、ｎ４＜ｎ５の関係に設定することが望ましい。ｎ４、ｎ５の値は、少なくとも０よりも大きい値に設定されている。値が小さいほど、各回路の動作を速めに停止させることができるため、消費電力を低減させることができる。しかし、視聴開始時に起動処理が必要な回路が多くなってしまうため、視聴開始命令が入力されてから映像音声が出力されるまでに時間がかかってしまう。また、値が大きいほど、視聴開始時に起動処理が必要な回路が少なくなるため、視聴開始命令が入力されてから映像音声が出力されるまでの時間を短くすることができる。
【００５２】
また、図５は、デマルチプレックス前のストリームを記録部１１９に記録する場合のシーケンスを示したものである。
【００５３】
〔２−２．視聴停止シーケンス〕
図６は、視聴中に視聴停止命令が入力された場合（例えば、装置が閉じられた場合）の、制御部１１０による制御フローである。
【００５４】
図６において、デジタル放送を視聴している時に、視聴停止命令が入力された場合、まず、映像出力部１０６および音声出力部１０９への給電を中止して、動作を停止させる（ステップＳ２０）。
【００５５】
次に、タイマー部１１４を起動してカウントを開始する（ステップＳ２１）。タイマー部１１４によるカウント開始からｎ１秒以内に、視聴開始検出部１１３によって視聴再開が検出されなかった場合（ステップＳ２２）、映像復号部１０５と音声復号部１０８を停止させる（ステップＳ２３）。
【００５６】
次に、タイマー部１１４がカウントを開始してからｎ２秒以内に、視聴開始検出部１１３によって視聴再開が検出されなかった場合（ステップＳ２４）、デマルチプレクサ１０１を停止させる（ステップＳ２５）。なお、ｎ２秒までの間は、デマルチプレクサ１０１が動作しているため、音声ＰＥＳおよび映像ＰＥＳを取得し続けることが可能である。この間に取得した音声ＰＥＳおよび映像ＰＥＳは、ストリーム一時記憶部１０３に記憶される。
【００５７】
次に、タイマー部１１４がカウントを開始してからｎ３秒以内に、視聴開始検出部１１３によって視聴再開が検出されなかった場合（ステップＳ２６）、信号受信部１００を停止させ（ステップＳ２７）、タイマーを停止させる（ステップＳ２８）。よって、ステップＳ２８の段階では、図１における視聴開始検出部１１３以外の部分は、全て動作が停止されている状態となっている。
【００５８】
また、ステップＳ２２、Ｓ２４、Ｓ２６において、ｎ１〜ｎ３秒以内に視聴開始命令が入力されると、タイマー部１１４の動作を停止させて（ステップＳ２９）、視聴開始シーケンス（図７参照）へ進む。
【００５９】
なお、ｎ１秒までの間は、映像復号部１０５と音声復号部１０８が動作しているため、それぞれの復号結果をストリーム一時記憶部１０３に記憶させてもよい。
【００６０】
なお、ｎ１、ｎ２、ｎ３の値は任意であり、ｎ１＜ｎ２＜ｎ３の関係に設定することが望ましい。ｎ１〜ｎ３の値は、少なくとも０よりも大きい値に設定されている。値が小さいほど、各回路の動作を速めに停止させることができるため、消費電力を低減させることができる。しかし、視聴開始時に起動処理が必要な回路が多くなってしまうため、視聴開始命令が入力されてから映像音声が出力されるまでに時間がかかってしまう。また、値が大きいほど、視聴開始時に起動処理が必要な回路が少なくなるため、視聴開始命令が入力されてから映像音声が出力されるまでの時間を短くすることができる。
【００６１】
なお、本実施の形態では、視聴中断検出部１１１において視聴中断が検出されると、すぐに映像出力部１０６および音声出力部１０９の動作を停止させているが（ステップＳ２０）、任意のｍ秒後に停止させるよう制御してもよい。
【００６２】
〔３．視聴開始処理の動作〕
〔３−１．視聴開始シーケンス〕
ユーザによって操作部１１６における電源スイッチが操作されて、デジタル放送受信装置１が起動されたり、操作部１１６におけるチャネルボタンの押下によってチャネルの切り替えが実行されたり、装置が閉じた状態（図３参照）から開いた状態（図２参照）へ移行された場合、制御部１１０の視聴開始検出部１１３で視聴開始命令を検出し、制御部１１０は視聴制御を開始する。制御部１１０における視聴制御は、例えばＣＰＵ（Central Processing Unit）によるソフトウェア制御で実行される。
【００６３】
なお、以下の説明において、「起動」とは、各ステップがハードウェア処理で実行される場合には、電源投入および設定を行う動作のことである。また、ソフトウェア処理で実行される場合には、処理の開始を指す。
【００６４】
図７は、制御部１１０によって実行される視聴開始シーケンスを示すフローチャートである。まず、視聴開始命令が入力されると、信号受信部１００が起動しているか否かを確認する（ステップＳ３０）。信号受信部１００が起動していれば、ステップＳ３２へ進む。一方、信号受信部１００が停止していれば、信号受信部１００の起動処理及び初期化処理を実行させてから（ステップＳ３１）、ステップＳ３２へ進む。
【００６５】
次に、デマルチプレクサ１０１が起動しているか否かを確認する（ステップＳ３２）。デマルチプレクサ１０１が起動していれば、ステップＳ３４へ進む。一方、デマルチプレクサ１０１が停止していれば、デマルチプレクサ１０１の起動処理及び初期化処理を実行させてから（ステップＳ３３）、ステップＳ３４へ進む。
【００６６】
次に、映像復号部１０５及び音声復号部１０８が起動しているか否かを確認する（ステップＳ３４）。映像復号部１０５及び音声復号部１０８が起動していれば、ステップＳ３６へ進む。一方、映像復号部１０５及び音声復号部１０８が停止していれば、映像復号部１０５及び音声復号部１０８の起動処理及び初期化処理を実行させてから（ステップＳ３５）、ステップＳ３６へ進む。
【００６７】
次に、映像出力部１０６及び音声出力部１０９が起動しているか否かを確認する（ステップＳ３６）。映像出力部１０６及び音声出力部１０９が起動していれば、視聴開始シーケンスを終了する。一方、映像出力部１０６及び音声出力部１０９が停止していれば、映像出力部１０６及び音声出力部１０９の起動処理を実行させ（ステップＳ３７）、視聴開始シーケンスを終了する。なお、本実施の形態では、視聴停止命令が入力された場合、図５及び図６に示すように映像出力部１０６及び音声出力部１０９を必ず停止させている（ステップＳ１１、Ｓ２１）ため、図７のステップＳ３６は省略してもよい。
【００６８】
このように、視聴開始シーケンスは、図５及び図６に示す視聴停止シーケンスにおいて停止処理した順番の逆順で、各部を起動・初期化処理する。
【００６９】
このようなシーケンスにすることで、視聴停止命令を入力してから視聴開始命令が入力されるまでの時間が短いほど、映像音声が出力されるまでの時間を短くすることができる。
【００７０】
すなわち、従来は、視聴停止命令が入力された時に全ての処理部をほぼ同時に停止させていたので、視聴開始命令が入力された時は必ず全ての処理部を起動させなければならかった。これに対し、本実施の形態は、視聴停止命令が入力された時に処理部を段階的に停止させることで、視聴開始命令が入力された時は、その時点で停止している処理部のみを起動させればよいため、必ずしも全ての処理部を起動させる必要はなくなる。
【００７１】
例えば、図５のステップＳ１３においてｎ４秒以内に視聴開始命令が入力された場合、または図６のステップＳ２２においてｎ１秒以内に試聴開始命令が入力された場合は、図７におけるステップＳ３７の処理のみ実行されて、受信しているデジタル放送の映像音声が出力される。また、図５のステップＳ１５においてｎ５秒以内に視聴開始命令が入力された場合、または図６のステップＳ２４においてｎ２秒以内に視聴開始命令が入力された場合は、図７におけるステップＳ３５とＳ３７の処理が実行されて、映像音声が出力される。また、図６のステップＳ２６においてｎ３秒以内に視聴開始命令が入力された場合は、図７におけるステップＳ３３、Ｓ３５、Ｓ３７の処理が実行されて、映像音声が出力される。
【００７２】
なお、図７に示すシーケンスにおいて、映像復号部１０５及び音声復号部１０８の処理（ステップＳ３４、Ｓ３５）と、映像出力部１０６及び音声出力部１０９の処理（ステップＳ３６、Ｓ３７）とを独立して時系列に実行しているが、両方を併せて起動処理及び初期化処理を実行させてもよい。その場合は、ステップＳ３３の処理の次に、映像部１０４及び音声部１０７が起動しているか否かの確認を行う処理と、映像部１０４及び音声部１０７の起動処理及び初期化処理とを、実行させればよい。
【００７３】
〔３−２．信号受信部１００の起動・初期化〕
図８は、信号受信部１００の起動及び初期化シーケンスを示すフローチャートであり、図７のステップＳ３１の詳しい処理内容を示している。なお、以下の説明では、信号受信部１００が、１セグメント放送用ＯＦＤＭ復調器およびチューナであった場合の動作について説明している。
【００７４】
図８において、制御部１１０は、まず、信号受信部１００に電源を供給して起動する（ステップＳ４０）。次に、ユーザが操作部１１６を操作して選択したチャネルの周波数に設定を行う（ステップＳ４１）。次に、モード・ガードインターバル値の設定を行う（ステップＳ４２）が、この値は置局条件あるいはサービスイメージによって異なるため、最適値の検出が必要となる。モード・ガードインターバル値の設定が最適となれば、同期確立を確認する（ステップＳ４３）ことができる。同期が確認できない場合には、別のモード・ガードインターバル値を設定（ステップＳ４２）し、再度確認する（ステップＳ４３）。同期確立後には、ＣＮ比（Carrier to Noise Ratio）を確認（ステップＳ４４）し、その値が閾値以上であれば信号受信部１００の制御完了となる。
【００７５】
上記シーケンスにて受信したＭＰＥＧ２−ＴＳ多重ストリームは、デマルチプレクサ１０１に送られる。
【００７６】
なお、図８において、ステップＳ４２とＳ４３は必須の処理ではない。
【００７７】
〔３−３．デマルチプレクサ１０１の起動・初期化〕
図９は、デマルチプレクサ１０１の起動及び初期化シーケンスを示すフローチャートである。なお図９は、図７のステップＳ３３の詳しい処理内容を示しており、受信したＭＰＥＧ２−ＴＳ多重ストリームをデマルチプレックスし、サービスの選択を行うためのデマルチプレクサ制御を示している。
【００７８】
図９において、制御部１１０は、まず、デマルチプレクサ１０１を起動する（ステップＳ５０）。次に、デマルチプレックスを開始し、セクションと呼ばれるデータから番組特定情報ＰＳＩ（Program Specific Information）やサービス情報ＳＩ（Service Information）を取得する。さらに、ＰＳＩで定義されるテーブルのうち、伝送路の情報と番組内容の関連を示すＮＩＴ（Network Information Table）を取得する（ステップＳ５１）。
【００７９】
次に、取得したＮＩＴに基づき、視聴可能なサービスリストを作成する（ステップＳ５２）。次に、番組を構成する各符号化信号のＰＩＤ（Packet ID）を指定するＰＭＴ（Program Map Table）を取得し（ステップＳ５３）、取得したＰＭＴに基づきＰＩＤを取得する（ステップＳ５４）。作成したサービスリストや取得したＰＩＤは、記憶部１０２に格納される。
【００８０】
次に、ＰＩＤの中から、ユーザによって選択されたサービスに関するＰＩＤを取得するために、ＰＩＤフィルタの設定を行う。複数サービスの中から目的のサービスに絞り込むことで制御完了となる（ステップＳ５５）。
【００８１】
制御部１１０は、ＰＩＤフィルタの設定が終わると、目的の映像および音声のＥＳ（Elementary Stream）が含まれるＰＥＳ（Packetized Elementary Stream）を取得することができるので、映像音声ＰＥＳから映像ＥＳと音声ＥＳを取り出し、出力する（ステップＳ５６）。
【００８２】
１セグメント放送の場合、映像データはＨ．２６４規格に準拠した符号化方式で符号化されており、この符号化方式は、動き補償フレーム間予測が使われている。動き補償フレーム間予測というのは、時間軸方向のフレーム画像間において、前画面に関する情報と、被写体の動きを考慮した次の画面に関する予測画面と差分とに基づいて、原画像に近い画像を再現可能な圧縮方法である。動き補償フレーム間予測によって圧縮された映像データを復号化するためには、必ず前後の画面とは関係なくその画面内の情報だけで独立して符号化したデータを示すＩＤＲ（Instantaneous Decoding Refresh）ピクチャを用いる必要がある。ＩＤＲピクチャは、周期的に送られてくるが、ＩＤＲピクチャを取得するまで映像を出力することができない。本実施の形態において、上記のように独立して符号化されたデータを「先頭ピクチャ」という。
【００８３】
なお、図９において、ステップＳ５１、Ｓ５２、Ｓ５３は、必須の処理ではない。
【００８４】
〔３−４．映像復号部１０５の起動・初期化〕
図１０は、映像復号部１０５の起動及び初期化シーケンスを示すフローチャートである。なお図１０は、図７のステップＳ３５における映像データの復号処理を示している。
【００８５】
図１０において、映像部１０４は、まず映像復号部１０５を起動させる（ステップＳ６０）。ここで「起動」とは、映像復号部１０５が、ハードウェア処理によって復号処理される場合には電源投入および設定を行う動作のことであり、ソフトウェア処理によって復号処理される場合には処理の開始をさす。
【００８６】
次に、デマルチプレクサ制御（図９参照）によって得られた映像ＰＥＳを取得（ステップＳ６１）し、先頭ピクチャを取得するまで待機する。先頭ピクチャを取得すると（ステップＳ６２）、映像復号部１０５による映像復号化処理を開始する（ステップＳ６３）。次に、復号化の後、提示時刻情報ＰＴＳ（Presentation Time Stamp）に従って、映像同期出力を開始する（ステップＳ６４）。
【００８７】
以上の処理により、映像復号部１０５は、復号化された映像データを映像出力部１０６に出力することができる。
【００８８】
〔３−５．音声復号部１０８の起動・初期化〕
図１１は、音声復号部１０８の起動及び初期化シーケンスを示すフローチャートである。なお図１１は、図７のステップＳ３５における音声データの復号処理を示している。
【００８９】
図１１において、音声部１０７は、まず、音声復号部１０８を起動させる（ステップＳ７０）。ここで「起動」とは、音声復号部１０８がハードウェア処理の場合には電源投入および設定を行うことであり、ソフトウェア処理の場合には処理の開始を指す。
【００９０】
次に、デマルチプレクサ制御（図７参照）によって得られた音声ＰＥＳを取得する（ステップＳ７１）。取得した音声ＰＥＳから音声ＥＳを取得すると、音声復号部１０８による音声復号化を開始する（ステップＳ７２）。復号化の後、提示時刻情報ＰＴＳ（Presentation Time Stamp）に従って、音声同期出力を開始する（ステップＳ７３）。
【００９１】
以上の処理により、音声復号部１０８は、復号化された音声データを音声出力部１０９に出力することができる。
【００９２】
〔４．作用効果〕
以上のように、本発明のデジタル放送受信装置によれば、視聴中断が検出された場合の停止処理を段階的に実行することにより、視聴中断を検出してから短時間で視聴開始命令が検出された場合には短時間でテレビ視聴を再開することが可能になる。例えば、電車の乗り降り時など、一時的に視聴を止めたい場合の利便性を高めることができる。
【００９３】
（実施の形態２）
実施の形態２の構成は、実施の形態１の図１で示したデジタル放送受信装置１の制御部１１０に、視聴を保留する命令（すなわち、各部を停止せずに待機する）を検出する視聴保留検出部１１２を、新たに備える。
【００９４】
図１２は、実施の形態２におけるデジタル放送受信装置の外観を示す平面図である。図１２に示すデジタル放送受信装置は、図２及び図３に示す装置と同様で、ディスプレイ１１５を備えた第１の筐体と操作部１１６を備えた第２の筐体とが、ヒンジ５００によって開閉可能な構成となっている。図１２に示すように装置が閉じられた時に、ユーザによる視聴停止命令が入力されたとみなす。また、本装置には、筐体の側面に保留ボタン５０２が配されており、視聴保留検出部１１２が保留ボタン５０２の押下を検出することができる。保留ボタン５０２が押下された時、ユーザによる視聴保留命令が入力されたとみなす。また、装置にサブディスプレイ５０１を配してもよく、そのサブディスプレイ５０１に保留ボタン５０２に関する説明を表示させると、ユーザーに保留ボタン５０２の機能を明確に知らしめることができる。なお、保留ボタン５０２の配置箇所は、筐体の側面に限らない。また、保留ボタン５０２は、デジタル放送を視聴している時は視聴保留機能が割り当てられるが、デジタル放送を受信していない時は他の機能を割り当ててもよい。
【００９５】
図１３は、視聴中に装置が閉じられた場合の視聴保留シーケンスを示すフローチャートである。以下の説明では、視聴中断検出部１１１は、装置が閉じられたことをヒンジ検出部１１７が検出した時に視聴中断検出している。
【００９６】
視聴中に装置が閉じられ、視聴中断検出部１１１で視聴停止命令が検出されると、映像出力部１０６および音声出力部１０９の給電を停止し、動作を停止させる（ステップＳ８０）。
【００９７】
次に、タイマー部１１４を起動させる（ステップＳ８１）。タイマー部１１４が起動してからｎ秒以内に、保留ボタン５０２（図１２参照）が操作され、視聴保留検出部１１２において視聴保留命令が検出された場合（ステップＳ８２）は、タイマー部１１４の動作を停止させ（ステップＳ８９）、視聴保留シーケンスを終了する。すなわち、映像出力部１０６および音声出力部１０９のみが停止している状態になる。視聴開始時は、図７に示す視聴開始シーケンスに基づいて処理されるが、保留ボタン５０２の押下後は、映像出力部１０６および音声出力部１０９のみが停止している状態なので、図７のステップＳ３７のみが実行されて、映像音声が出力される。
【００９８】
ステップＳ８２においてｎ秒以内に視聴保留命令が検出されず、ｎ１秒以内に視聴開始検出部１１３によって視聴開始命令が検出されなかった場合（ステップＳ７０３）は、映像復号部１０５と音声復号部１０８とを停止させる（ステップＳ８４）。一方、ｎ１秒以内に視聴開始命令が入力されると、タイマー部１１４を停止させ（ステップＳ９０）、視聴開始シーケンス（図７参照）へ進む。
【００９９】
次に、タイマー部１１４を起動してからｎ２秒以内に、視聴開始検出部１１３によって視聴再開が検出されなかった場合（ステップＳ８５）は、デマルチプレクサ１０１を停止させる（ステップＳ８６）。一方、ｎ２秒以内に視聴開始命令が入力されると、タイマー部１１４を停止させ（ステップＳ９０）、視聴開始シーケンス（図７参照）へ進む。
【０１００】
次に、タイマー部１１４を起動してからｎ３秒以内に、視聴開始検出部１１３によって視聴再開が検出されなかった場合（ステップＳ８７）は、信号受信部１００を停止させて（ステップＳ８８）、タイマー部１１４を停止させる（ステップＳ８９）する。一方、ｎ３秒以内に視聴開始命令が入力されると、タイマー部１１４を停止させ（ステップＳ９０）、視聴開始シーケンス（図７参照）へ進む。
【０１０１】
なお、視聴保留検出部１１２による視聴保留検出処理（ステップＳ８２）と、復号部やデマルチプレクサや信号受信などの停止処理（ステップＳ８４、Ｓ８６、Ｓ８８）を行う順番は、図１３に示す順番に限らない。この場合、視聴保留検出前に停止した箇所を再起動させておくことで、視聴再開検出時の復帰をより速く行うことができる。
【０１０２】
なお、視聴保留検出部１１２によって視聴保留が検出されてから長時間視聴再開されなかった場合、あるいはユーザーが再開命令を入力するのを忘れていた場合に、残りの部分も停止するとなお良い。
【０１０３】
以上のように実施の形態２のデジタル放送受信装置によれば、装置が閉じられた時に視聴を保留可能にしたことにより、視聴再開時に迅速に映像音声を出力させることができる。
【０１０４】
すなわち、実施の形態１は視聴停止命令が入力されると、各処理部を順次停止させるよう制御していたが、実施の形態２は視聴停止命令が入力された後、保留ボタン５０２を操作することで、映像出力部１０６及び音声出力部１０９の動作のみを停止させて、視聴停止シーケンスを実行させないようにすることができる。特に、比較的長い間視聴を止めた後で、即座に視聴再開したい場合の利便性を高めることができる。
【０１０５】
なお、実施の形態１および実施の形態２のデジタル放送受信装置１における視聴中断検出部１１１は、キー入力を検出し、視聴中断を意味するキーが押されたかどうかを判定するキー入力判定部であってもよい。図１６は、視聴中断検出部１１１がキー入力判定部であった場合のデジタル放送受信装置１の外観であり、デジタル放送を視聴中に中断キー４００が押下された場合にユーザによる視聴停止命令とみなすことができる。
【０１０６】
また、実施の形態１および実施の形態２のデジタル放送受信装置１における視聴中断検出部１１１は、図２における第１の筐体２０１が第２の筐体２０２に対してスライド可能な構成や、第１の筐体２０１におけるディスプレイ１１５を覆うことが可能な開閉カバーを備えた構成でもよい。その場合、制御部１１０が、第１の筐体２０１のスライド動作や、開閉カバーの開閉動作を検出して、視聴停止命令や視聴開始命令を出力する構成でもよい。また、第１の筐体２０１が第２の筐体２０２に対して、面方向に回転可能な構成になっている場合、その回転角を検出して視聴停止命令や視聴開始命令を出力する構成でもよい。この場合、それぞれの動作が検出された場合にユーザによる視聴停止命令とみなす。
【０１０７】
（実施の形態３）
次に、デジタル放送を受信可能な携帯電話端末において、放送受信機能と他の機能とを両方動作させた後、一方の動作を停止させる時の処理について説明する。
【０１０８】
図１４は、携帯電話端末に備わっている機能を示す模式図である。近年の携帯電話機は多機能化が進み、例えば図示のように、他の携帯電話端末や固定電話と相互通話を行うことができる電話機能、インターネットに接続し各種サイトやメール送受信が可能なデータ送受信機能、端末に搭載されている撮像部を利用して撮影を行うことができるカメラ機能、音楽データが保存されているメモリーカードを端末に装着し音楽データを再生可能なオーディオ機能、実施の形態１及び２で説明したようなテレビ放送を視聴可能なＴＶ視聴機能、ＦＭラジオ放送やデジタルラジオ放送などを受信可能なラジオ受信機能などが装備されている。これらの機能は、択一的に動作できることはもちろん、マルチタスク処理によって複数の機能を同時に実行させることも可能である。例えば、オーディオ機能を使って音楽を聴いていると同時に、データ送受信機能を使ってインターネットメールの送受信を行うことができる。
【０１０９】
なお、構造上、同時に実行できない機能もある。例えば、カメラ機能とＴＶ受信機能とは、両方ともディスプレイ１１５を使用するため、同時には実行できない。
【０１１０】
図１５は、ＴＶ視聴機能と他の機能（例えばカメラ機能）の動作の関係を示すフローチャートである。図１５において、ＴＶ視聴機能を利用してデジタル放送を視聴している時に、カメラ機能を利用して撮影を行おうとする場合、視聴停止命令を入力してＴＶ視聴機能を中断させる必要がある（ステップＳ１０１）。視聴停止命令が入力された時、タイマー部１１４がカウントを開始する。また、ＴＶ視聴機能が中断された時、映像出力部１０６及び音声出力部１０９のみが動作を停止されている。また、ＴＶ視聴機能が中断されると、カメラ機能を起動させることできるので、ユーザーは操作部１１６において所定の操作を行って、カメラ機能を起動させる（ステップＳ１０２）。
【０１１１】
次に、カメラ機能を利用した撮影が終わり、再びＴＶ視聴機能を起動させる場合、視聴停止命令からｎ７秒以内に視聴開始命令が入力されると（ステップＳ１０３）、カメラ機能が停止され（ステップＳ１０４）、図７に示す視聴開始シーケンスが実行される。前述したように、映像出力部１０６及び音声出力部１０９のみが停止され、信号受信部１００やデマルチプレクサ１０１などは既に起動されているため、速やかに映像音声が出力される。
【０１１２】
一方、ステップＳ１０３において、ｎ７秒以内に視聴開始命令が入力されなかった場合は、視聴停止シーケンス（図５または図６参照）が実行される（ステップＳ１０５）。この時、カメラ機能は起動したままである。
【０１１３】
以上のように本実施の形態によれば、ＴＶ視聴機能を実行させてデジタル放送を視聴中に、カメラ機能などの他機能を起動させると、所定時間、ＴＶ視聴機能を待機させている。よって、ＴＶ視聴機能を再開させた際、迅速に映像音声を出力させることができる。すなわち、他機能の起動時に、映像出力部１０６及び音声出力部１０９のみを停止させて、受信制御部１００やデマルチプレクサ１０１などは起動したままにしている。そして、所定時間（ｎ７秒）以内に視聴開始命令が入力されると、映像出力部１０６及び音声出力部１０９のみを起動させるだけでよいので、迅速に映像音声を出力させることができる。
【０１１４】
また、ｎ７秒以内に視聴開始命令が入力されない時に、ＴＶ機能をオフさせることにより、無駄な電力消費を低減させることができる。
【産業上の利用可能性】
【０１１５】
本発明は、デジタル放送受信装置に適用可能であり、例えば、携帯型デジタル放送受信ビューアや、携帯電話端末、ＰＤＡ、車載用ナビゲーションシステム等、可搬型の機器に有用である。
【図面の簡単な説明】
【０１１６】
【図１】本発明の実施の形態に係るデジタル放送受信装置の構成を示すブロック図
【図２】デジタル放送受信装置が開いた状態を示す斜視図
【図３】デジタル放送受信装置が閉じた状態を示す斜視図
【図４】視聴停止シーケンスのフローチャート
【図５】録画中における視聴停止シーケンスのフローチャート
【図６】視聴停止シーケンスのフローチャート
【図７】視聴開始シーケンスのフローチャート
【図８】信号受信部の起動及び初期化処理を示すフローチャート
【図９】デマルチプレクサの起動及び初期化処理を示すフローチャート
【図１０】映像復号部の起動及び初期化処理を示すフローチャート
【図１１】音声復号部の起動及び初期化処理を示すフローチャート
【図１２】実施の形態２におけるデジタル放送受信装置の外観を示す平面図
【図１３】視聴保留シーケンスを示すフローチャート
【図１４】実施の形態３における携帯電話端末の機能を説明するための模式図
【図１５】ＴＶ視聴機能及びカメラ機能の停止処理を示すフローチャート
【図１６】デジタル放送受信装置の外観を示す斜視図
【符号の説明】
【０１１７】
１００  信号受信部
１０１  デマルチプレクサ
１０２  記憶部
１０３  ストリーム一時記憶部
１０４  映像部
１０５  映像復号部
１０６  映像出力部
１０７  音声部
１０８  音声復号部
１０９  音声出力部
１１０  視聴制御部
１１１  視聴中断検出部
１１２  視聴保留検出部
１１３  視聴開始検出部
１１４  タイマー部
１１５  ディスプレイ
１１６  操作部
１１７  ヒンジ検出部
１１８  スピーカ
１１９  記憶部
【図１】
2007006457.tif 000003
【図２】
2007006457.tif 000004
【図３】
2007006457.tif 000005
【図４】
2007006457.tif 000006
【図５】
2007006457.tif 000007
【図６】
2007006457.tif 000008
【図７】
2007006457.tif 000009
【図８】
2007006457.tif 000010
【図９】
2007006457.tif 000011
【図１０】
2007006457.tif 000012
【図１１】
2007006457.tif 000013
【図１２】
2007006457.tif 000014
【図１３】
2007006457.tif 000015
【図１４】
2007006457.tif 000016
【図１５】
2007006457.tif 000017
【図１６】
2007006457.tif 000018